(57)【特許請求の範囲】
【請求項１】
パケット化された音声信号と通信するためのＡＤＳＬ（非対称デジタル加入者線）モデムを有する少なくとも１つのＨ．３２３ベースの顧客電話装置と公衆交換電話網（ＰＳＴＮ）に接続される複数の公衆交換電話網ベースの電話装置とを含むマルチライン電話システムであって、
複数の接続拠点（ＰＯＰ）エンティティであって、各接続拠点エンティティがスイッチ回路経路を確立するためのルータを含み、少なくとも１つの接続拠点エンティティが公衆交換電話網への及び公衆交換電話網からの呼び出しを処理するためにＨ．３２３ベースのゲートウェイを含む前記接続拠点エンティティと、
電話局とを備え、
前記電話局が、
各単一のツイストペア接続により前記少なくとも１つのＨ．３２３ベースの顧客電話装置のＡＤＳＬモデムの各一つに接続され、複数の並行電話呼び出しを単一のＨ．３２３ベースの顧客電話装置に接続するＡＤＳＬモデムと、
前記Ｈ．３２３ベースのゲートウェイに接続するために使用される前記Ｈ．３２３ベースのゲートウェイに対応するアドレスを有するアドレステーブルを記憶するメモリ、
を含み、
前記接続拠点エンティティの少なくとも１つが、前記単一のＨ．３２３ベースの顧客電話装置及び前記複数の並行電話呼び出しの１つに対応する前記Ｈ．３２３ベースの顧客電話装置を含む１組の接続電話装置の間、及び前記単一のＨ．３２３ベースの顧客電話装置および前記複数の並行電話呼び出しの他の１つに対応する公衆交換電話網ベースの電話装置を含む１組の接続電話装置の間の各初期並行接続を提供して制御すべく、Ｈ．３２３呼び出し制御信号を前記ＡＤＳＬモデムを有する前記電話局にルーティングするＨ．３２３ベースの接続拠点エンティティである呼び出し制御サービスエンティティを含むことを特徴とするマルチライン電話システム。
【請求項２】
パケットベースのネットワークにおいてマルチライン電話を提供する方法であって、
複数の呼び出し電話装置から単一の呼び出される電話装置への複数の呼び出し接続を開始するステップと、
交換回路の経路を確立するためのルータをそれぞれ含む１つ以上の接続拠点（ＰＯＰ）エンティティであって公衆交換電話網から及びそこへの呼びを処理するためのＨ．３２３ベースのゲートウェイを備え、前記Ｈ．３２３ベースのゲートウェイの対応したアドレスを有するアドレステーブルを記憶したメモリおよび、ＡＤＳＬモデムを有するＨ．３２３ベースのゲートキーパにＨ．３２３呼び出し制御信号をルーティングするＨ．３２３ベースの接続拠点エンティティである呼び出し制御サービスエンティティを使用して前記複数の呼び出し電話装置のそれぞれと前記呼び出される電話装置との間の前記呼び出し接続を並行して単一線路で確立するステップと、
多重化の方法で音声データパケットを前記呼び出し電話装置から前記呼び出される電話装置に単一線路で送信するステップとを含み、
前記複数の呼び出し接続を開始するステップは、
許可要求（ＡＲＱ）信号を、Ｈ．３２３ベースの電話装置から電話局の前記Ｈ．３２３ベースのゲートキーパへ送信するステップと、
前記Ｈ．３２３ベースの電話装置の非対称デジタル加入者線（ＡＤＳＬ）モデムと前記Ｈ．３２３ベースのゲートキーパの前記ＡＤＳＬモデムとの間で単一のツイストペア接続により許可要求（ＡＲＱ）信号を送信するステップを含む方法。
【請求項３】
前記開始するステップは、公衆交換電話網の電話装置からの呼び接続を開始する段階と、前記公衆交換電話網の交換機を通して前記Ｈ．３２３ベースのゲートウェイへセットアップ信号（ＳＥＴＵＰ）を送ることを含む、請求項２に記載の方法。
【発明の詳細な説明】
【０００１】
［発明の属する技術分野］
本発明は一般に電話通信の分野に関し、特にインターネットのようなコンピュータネットワークによるマルチライン電話通信に関する。
【０００２】
［背景技術］
公衆交換電話網（ＰＳＴＮ）のような従来の通信システムは、ディジタル通信システムと組み合わされている。電話通信がパケットによって音声信号を伝送するために発達するにつれて、インターネットのようなネットワークが普及してきた。
【０００３】
インターネット電話システムは、十分な明瞭度を有する改善された速度率でディジタルデータを転送するための固有のプロトコルを有する。ＰＳＴＮ電話通信ラインは情報に関して過負荷になってきており、データ及び音声の同時伝送のための信頼性が高く、費用効率の高いサービスを提供することが出来なくなってきた。
【０００４】
Ｈ．３２３規格は、ローカルエリアネットワーク（ＬＡＮ）及びインターネットのようなコンピュータネットワークによるパケットベースの音声及びビデオ通信のための国際電気通信連合（ＩＴＵ）規格である。ＩＴＵ勧告Ｈ．３２３は、パケットベースのネットワーク（ＰＢＮ）によるこのマルチメディア通信サービスを提供する端末及び装置を記載しているが、例えば、オーディオアプリケーションのためのサービスの保証品質（ＧＱＯＳ）は提供できない。Ｈ．３２３端末及び装置は、リアルタイムオーディオ、ビデオ及び／又はデータを搬送できる。規格によると、オーディオに対するサポートは必須であるが、データ及びビデオに対するサポートは必須ではない。もしデータ伝送及びビデオ伝送がサポートされたら、オペレーションの特定の共通モードを使用する機能が必要とされるので、一般的なタイプの媒体をサポートする全端末が互いに対話して一緒に作動する。
【０００５】
Ｈ．３２３端末が通信するパケットベースのネットワークは、ポイント・ツー・ポイント接続、単一ネットワークセグメント、又は複雑なトポロジーを有する多数のセグメントを有する複合ネットワークを構築する。Ｈ．３２３端末は、他の規格で定められた端末（例えば、広帯域総合ディジタル通信網（Ｂ−ＩＳＤＮ）のＨ．３１０端末、狭帯域総合ディジタル通信網（Ｎ−ＩＳＤＮ）のＨ．３２０端末、Ｂ−ＩＳＤＮのＨ．３２１端末、ＧＱＯＳ  ＬＡＮのＨ．３２２端末、一般交換電話網（ＧＳＴＮ）及び無線ネットワークのＨ．３２４端末、ＧＳＴＮのＶ．７０端末、並びにＧＳＴＮ又はＩＳＤＮの音声端末）とゲートウェイの使用を通して通信できる。Ｈ．３２３端末はパーソナルコンピュータに組み込まれるか、又はビデオ電話のようなスタンドアロン装置で実施される。
【０００６】
従来のＰＳＴＮよりも速くデータを移動させ、更にリアルタイムな応答、より高品質のサービス（ＱＯＳ）、及びより良い伝送を提供するネットワークに対する必要性が存在する。ＰＳＴＮと対話し連絡を提供してネットワーク内部での機能を容易にし、現在の電話通信システムによる改善された機能性を提供することは、そのようなネットワークに対して有益である。
【０００７】
また、電話データの伝送を単一の電線で３０又は４０通話まで増加させることが出来るネットワークに対する必要性も存在する。
【０００８】
従来、Ｈ．３２３ベースのネットワークはそのような端末をＰＳＴＮの従来の電話線を通して接続することにより実施され、従って、ＰＳＴＮのバンド幅及び動作特性により制限を受けた。例えば、インターフェース装置及びＨ．３２３端末をインターネットベースのシステムのような高速通信チャネルにより接続するためのプロトコルを使用してより高速の通信チャネルによりＨ．３２３ベースのネットワークを実施するための必要性が存在する。
【０００９】
［発明の開示］
改善されたパケットベースの通信を、向上した伝送速度のようなより良い伝送特性を有するマルチライン電話通信をＨ．３２３ベースのネットワークオペレーションを提供するための従来型ツイストペア線接続により行うことが本発明の１つの側面である。ＡＤＳＬ技術を利用して、本発明は、多数で同時の独立した通話を単一の電話線により維持することが出来る。本発明は２つ又はそれ以上の発呼者の単一終点への接続を利用し、２つ又はそれ以上の発呼者から受信終点へのデータパケットを多重化する。ＡＤＳＬ技術により提供される高い伝送レートを用いて、多数の発呼者からの音声データは終点まで単一の加入者線路によって配信できる。
【００１０】
本発明によると、マルチライン電話通信システムは多数の同時通話を顧客の構内に単一の従来型ツイストペア通信接続を経由して配信する機能を提供し、更に電話サービスを従来のダイヤルアップ接続を経由してサポートするためのソフトウェア及びハードウェアを含む。本システムは、顧客の構内及び少なくとも２つの他の接続電話装置の間の同時接続を、パケットベースの技術及びＡＤＳＬ伝送レートを利用して達成するようにプログラムされた point-of-presence （接続拠点）エンティティを含む。
【００１１】
［発明の実施の形態］
図１を参照すると、本発明の開示された実施例は、マルチライン電話通信システム１０、並びに非対称ディジタル加入者線路（ＡＤＳＬ）技術、及び多数の同時通話を顧客の構内へ単一の従来型ツイストペア接続（例えば、銅線）を経由して配信するためのＨ．３２３規格を使用して実施される方法から成る。本システムは、以下で更に詳細に記載するように、システム１０を通る音声データの伝送のパケットベースの性質を利用して、２つ又はそれ以上の通話から顧客の構内への音声データを多重化する。
【００１２】
図１に示すように、マルチライン電話通信システム１０は、ＰＳＴＮ１４への接続１３を確立するためにＨ．３２３規格に準拠する少なくとも１つのゲートウェイ１２を含む。そのような接続１３は、電線のより線対（例えば、銅線）である。ＰＳＴＮ１４への接続の他の実施例は、光ファイバ接続、並びに他の高速通信（例えば、総合デジタル通信網（ＩＳＤＮ）接続、及び／又は専用のＴ１回線）を含んでもよい。
【００１３】
ゲートキーパ１６はゲートウェイ１２、並びに加入者登録データベース及び／又は構成データベース（ＣｏｎｆｉｇＤＢ）１８に接続されて、複数の端末終点２０、２２との通信を制御し、端末終点２０、２２はゲートキーパ１６に少なくとも１つのツイストペア線接続２３を通して接続される。
【００１４】
各端末終点２０、２２は、例えば、通話を送信し受信するためのグラフィカルユーザインターフェース（ＧＵＩ）を有するＨ．３２３端末を含む。ネットワークベースの設備が、端末終点２０、２２の対話をＰＳＴＮ１４を用いて管理するマルチライン電話通信システム１０に備えられる。
【００１５】
更に詳細には、端末終点２０、２２は、パケットベースの音声通信をシステム１０を通してＰＳＴＮ１４、又は他の端末終点２０、２２まで搬送するためのツイストペア接続２３によるＡＤＳＬ技術を使用する通信装置である。
【００１６】
当業者には既知のように、ＡＤＳＬは従来の音声通信チャネル、低速上流向きチャネル、及び高速下流向きチャネルを提供する。従って、ＡＤＳＬは比較的高い伝送レートを提供する。これは、本発明が、単一の回線による多数の同時通話をサポートするデータのパケットベースの伝送を利用することを可能にする。
【００１７】
図１のマルチライン電話通信システム１０が、図２に更に詳細に示される。ＰＳＴＮ１４は、個々の電話装置２４、「ＷＩＮＤＯＷＳ（登録商標） ９５」ベースの及び／又は「ＷＩＮＤＯＷＳ（登録商標） ＮＴ」ベースのクライアント（ＷＩＮ−９５／ＮＴクライアント）２６、及びファクシミリ（ＦＡＸ）装置２８のようなＰＳＴＮ１４上の複数の装置を含むか及び／又は複数の装置に接続される。各ＰＳＴＮ装置２４〜２８は、ゲートウェイ１２に各々の接続１３を通して接続される。ゲートウェイは、集積されたモデム、Ｆａｘ−ゲートウェイ、及びＨ．３２３ゲートウェイの組合せから成る。ゲートウェイ１２は、システム１０に含まれる低レベルＰＯＰ３０のような Point-of-Presence （ＰＯＰ）装置の構成要素である。１実施例では、システム１０は階層ネットワークの形態である。
【００１８】
マルチライン電話通信システム１０は、低レベルＰＯＰ３０、領域ＰＯＰ（ＲＰＯＰ）３２、及びバックボーンＰＯＰ（ＢＰＯＰ）３４のような複数の Point-of-Presence サイトを有する。低レベルＰＯＰ３０、ＲＰＯＰ３２、及びＢＰＯＰ３４は、ＰＳＴＮ１４とスイッチ回路レベルでゲートウェイを通して、適切なＰＯＰに収容されたゲートウェイ１２を用いて対話するために階層構造に配置されたエンティティである。
【００１９】
各ＰＯＰ３０、３２、３４は、種々の加入者の端末終点２０、２２からネットワークへの経路を、システム１０のゲートキーパとして役割を果たす各々の電話局１６（ＣＯ）を通してマルチライン電話通信システム１０を形成する他のネットワークまで確立するために、各々のルータ３６、３８、４０を含む。
【００２０】
マルチライン電話通信システム１０の階層構造では、例えば、約１，０００のＣＯ１６、約３００の低レベルＰＯＰ３０、約４０のＲＰＯＰ３２、約１２のＢＰＯＰ３４、及び約４のデータセンタが存在する。各ＣＯ１６は約５，０００の端末終点２０、２２を管理する。同様に、各低レベルＰＯＰ３０は約１７，０００の加入者を管理し、各ＲＰＯＰ３２は１００万の加入者の約４分の１を管理し、各ＢＰＯＰ３４は１００万の加入者の約２分の１を管理する。従って、データセンタは各々１２５万人の加入者を管理するので、開示されたマルチライン電話通信システム１０の総加入者ベースは約５００万人である。
【００２１】
更に詳細には、電話局は、自局ループと各電話局１６のインターフェース４２を通して直接対話するサービスを提供する。好都合にも、インターフェース４２は、１つ又は複数の「ＤＳＬＡＭ」ハードウェア装置、ＡＤＳＬモデムバンク４３、並びにイーサネット（登録商標）集信装置、及びイーサネット（登録商標）ルータのようなイーサネット（登録商標）装置から成る。図２に示すように、開示されたマルチライン電話システム１０では、インターフェース４２は低レベルＰＯＰ３０のルータ３６、及び端末終点２０のＡＤＳＬモデム４４に接続され、端末終点２０は顧客の構内装置である。
【００２２】
図２を参照すると、各端末終点２０は、ＡＤＳＬモデム４４、並びにＡＤＳＬモデム４４を、例えば、ＷＩＮ−９５／ＮＴクライアント４８、受話器５０、ファクシミリ装置５２、及び／又はインターネットプロトコル（ＩＰ）装置クライアント５４に接続するためのルータ／ハブ装置４６を含む。
【００２３】
各ＲＰＯＰ３２はルータ３８、並びにＨ．３２３マルチポイント制御ユニット（ＭＣＵ）サーバ５６、Ｈ．３２３ゲートキーパサーバ５８、媒体モジュールサーバ６０、ディレクトリサーバ６２、サービス端末サーバ６４、メッセージ単一化サーバ６６、クライアントサービスサーバ６８、及びデータベースサーバ７０を含む。更に詳細には、Ｈ．３２３ＭＣＵサーバ５６は、Ｈ．３２３ベースの多数共同電話会議ユニットであり、多数共同電話会議ユニットはオーディオ及び／又はビデオ電話会議処理のためのディジタル信号処理（ＤＳＰ）構成要素を含む。
【００２４】
Ｈ．３２３ゲートキーパサーバ５８は、Ｈ．３２３規格により規定したようなゲートキーパ機能を制御するための専用のサーバである。加えて、他のゲートキーパ機能が、例えば、Ｈ．３２３ゲートキーパサーバ５８のようなＣｉｓｃｏ社のＨ．３２３ゲートキーパユニットを使用することにより実施される。媒体モジュールサーバ６０は、例えば、「ＷＩＮＤＯＷＳ（登録商標） ＮＴ」ベースのコンピュータ、及びＤｉａｌｏｇｉｃ社の電話通信カードを使用してＤＳＰサポート、及び媒体記憶を提供する。
【００２５】
ディレクトリサーバ６２は、 Lightweight Directory Access プロトコル（ＬＤＡＰ）ベースのディレクトリサービスを提供するための専用コンピュータである。サービス端末サーバ６４は、例えば、自動案内機能、音楽保留オペレーション、音声メール録音設備、等を提供するための少なくとも１つのサービス端末を管理するための専用コンピュータである。
【００２６】
メッセージ単一化サーバ６６は、電子メールを含むメッセージを、例えば、メッセージ形式の変換及び互換性を保証する「MICROSOFT EXCHANGE」を使用して管理する。クライアントサービスサーバ６８は、ＷＩＮ−９５／ＮＴクライアント２６、４８のような種々のクライアント構成要素との対話を管理する。データベースサーバ７０は、永続的な構内交換（ＰＢＸ）プロファイル、及びユーザプロファイルを維持し、また、データベースの開示されたマルチライン電話通信システム１０に関係する課金記録のような永続的なデータを記憶する。データベースサーバ７０は、例えば、ＵＮＩＸ（登録商標）ベースのコンピュータである。
【００２７】
ＢＰＯＰ３４はルータ４０を含み、また、低レベルＰＯＰ３０、及びＲＰＯＰ３２と一緒に、ＬＤＡＰベースのディレクトリサービスをマルチライン電話通信システム１０全体の通話を処理するためのデータセンタに提供するためのディレクトリサーバ７２を含む。
【００２８】
［ゲートキーパからゲートウェイへの接続の確立］
ＰＯＰ３０、３２、３４は、登録データベース１８の情報へのインターフェース４２により明示的に管理されないアドレスへのＨ．３２３接続をサポートするアドレス指定セマンティクスにより特徴づけられるゲートウェイとして作動する電話局１６に接続する。例えば、呼び出しが終点２０からされるとき、呼び出しは電話局１６に向けられる。データベース１８及びアドレステーブル７４の情報に基づいて、呼び出しはＰＯＰ３０に向けられる。次にＰＯＰ３０のゲートウェイ１２は、呼び出しをＰＳＴＮ１４に接続する。従って、ゲートウェイ１２は、多数のＰＳＴＮ電話番号をサポートする。一般に、Ｅ．１６４の全体セットアドレスは、世界的な電話接続を含む如何なる直接ダイヤル可能な電話との直接接続を確立するためにも利用可能である。Ｅ．１６４アドレスは、「ＩＳＤＮ時代のための番号付け計画」と題されたＩＴＵ−Ｔ勧告Ｅ．１６４（１９９１）によって決定される。
【００２９】
各ゲートウェイ１２は、電話局１６に通信経路に対する単一のＨ．３２３終点として登録される。電話局はこのシステムでゲートキーパとして作動し、そういうものとして参照できる。Ｈ．３２３規格は如何にしてゲートキーパが呼び出しをゲートウェイにルーティングするかは設定しないので、開示されたマルチライン電話通信システム１０が呼び出しを各Ｅ．１６４アドレスを特定の電話局１６に決定するマッピングを使用してルーティングする。各電話局ゲートキーパ１６で、アドレステーブル７４が、Ｅ．１６４アドレスを特定のゲートウェイ１２に割り当てる予め定められた番号付けプランを使用するメモリに記憶される。
【００３０】
Ｈ．３２３ベースの端末終点２０が接続を完了して呼び出しを確立するために特定デスティネーションのネーム／アドレスを電話局１６のゲートキーパに照会するとき、端末終点２０は許可要求メッセージ又はクェリ（ＡＲＱ）をゲートキーパ１６に送信する。ゲートキーパ１６はアドレステーブル７４にアクセスし、適切な転送アドレス及び／又はＩＰアドレスを決定して呼び出しがデスティネーションに到着することを可能にし、ゲートキーパ１６は検索されたアドレスを端末終点２０に提供する。
【００３１】
或いは、開示されたマルチライン電話通信システム１０は、ゲートキーパ１６及びサービスの質（ＱｏＳ）ネットワークの間のインターフェースとして作動し、マルチライン電話通信システム１０と通信するための専用ネットワークであるプロキシ装置を含む。例えば、プロキシはＱｏＳネットワークとファイアウォールを通して通信できる。従って、ＡＲＱを受信するとすぐ、ゲートキーパ１６は適切なプロキシのＩＰアドレスを決定して、端末終点２０がＱｏＳネットワークとプロキシを通して通信するのを要求することを可能にする。
【００３２】
図３の状態線図に示すように、マルチライン電話通信システム１０は、多数の発呼者電話装置が顧客の構内の呼び出された特定の電話装置に接続することを管理する。例えば、Ａと表示された従来の電話のような第１発呼者電話７６は、市内交換キャリア（ＬＥＣ）スイッチ７８（ＰＳＴＮ１４の構成要素）を通して、ＧＷ1と表示されたゲートウェイ８０に接続する。以下に記載される適切な信号方式により、ゲートウェイ８０、ＧＫ1と表示された第１ゲートキーパ８２、ＧＫ2と表示された第２ゲートキーパ８４、及び呼び出し制御サービ エンティティ（ＣＣＳＥ）８６が、第１発呼者電話７６及び他の電話装置の間の接続を確立する。更に詳細には、第２電話装置８８は、例えば、インターネット電話通信ができるＩＰベースの電話なので、Ｂｉｐ1と表示される。
【００３３】
開示されたマルチライン電話システム１０を使用して、他の電話装置９０（例えば、Ｂｉｐ2と表示されるＩＰベースの電話）は、電話７６と同時に及び／又は並行して、適切な信号方式により、Ｂｉｐ2９０、ＣＣＳＥ８６、及び第２ゲートキーパ８４の間で、第２電話装置Ｂｉｐ1８８への接続を確立する。この方法では、３者間の電話会議を確立できる。電話７６及びＢｉｐ2９０からの音声データは多重化されたパケットで各ゲートキーパ８２、８４からＢｉｐ1８８へ送信される。ＡＤＳＬ線路を使用することにより、十分なデータを通過させて単一の回線による２つ又はそれ以上の同時呼び出しをサポートする。２つのゲートキーパは、各々の発呼加入者から被呼加入者Ｂｉｐ1への音声データパケットの配信を調整するようにプログラムされる。たった１つのゲートキーパだけがデータパケットを任意の時点においてＢｉｐ1へ送信しているように、例えば、３者間の電話会議を始めるとすぐ、ＣＣＳＥが制御信号を各ゲートキーパに送信できる。１つの単純化された実施例では、第１ゲートキーパ８２が第１データパケットをＢｉｐ1へ送信し、第２ゲートキーパ８４が第２データパケットをＢｉｐ1へ送信し、以下同様である。また、当業者が理解するように、他の方式も適切である。
【００３４】
接続を呼び出された電話装置８８へ提供するために、各ゲートキーパ８２、８４は各電話装置７６、９０に応答する。例えば、各電話装置の対応するゲートキーパは、各電話装置への（例えば、比較的短いツイストペア接続による）通信リンク中で比較的近い。
【００３５】
ＣＣＳＥ８６は、呼び出された電話装置として、入力呼び出し、及び所期の終点又は登録されたサービスの間の初期接続及び／又は接続セットアップ構成を提供するＨ．３２３呼び出し制御信号をルーティングするＨ．３２３ベースのＰＯＰエンティティである。ＣＣＳＥ８６は、初期呼び出し配置の進行の間に起こる呼び出し制御イベントに応答するので、加入者のサービスプロファイルによって呼び出し経路を再度方向づけることができる。ＣＣＳＥ８６は発呼者を目的アドレス（例えば、電話装置８８、９０のＩＰアドレス）に接続することの促進を担当し、及びＣＣＳＥ８６は呼び出し制御信号をルーティングする。
【００３６】
ＰＯＰエンティティとして、ＣＣＳＥ８６は、ゲートキーパ８２、８４へのサブ−アドレス指定を、上記のようにＰＯＰ３０、３２、３４の代わりに行うことが出来る。ＣＣＳＥ８６は１つ又は複数のＰＯＰ３０、３２、３４に組み込まれ、特に公衆終点において生成するか終端する全ての呼び出しを処理できる。従って、ＣＣＳＥ８６は、選択された呼び出しのインテリジェントルーティング（例えば、図１でゲートウェイ１２及びＰＳＴＮ１４の間の対話を制御すること）のために使用できる。加えて、特定の条件での呼び出しの自動的な再度の方向付けのようなインテリジェント機能が実行できる。例えば、電話装置が２つの同時呼び出しで塞がっており、記憶されたユーザ構成情報によって２つの回線の出現だけを処理するように形成されているとき、第３の入力呼び出しは自動的に音声メールシステムへ分岐される。加えて、ＣＣＳＥが、上記のようにゲートキーパからＢｉｐ1への多重化データパケットを調整するようにゲートキーパ８２、８４を制御するようプログラムされることが好ましい。
【００３７】
図３に示された構成要素を使用しての開示されたマルチライン電話システム１０のオペレーションが実例となる実施例であり、少なくとも１つのＬＥＣスイッチ７８による少なくとも１つの従来の電話７６、並びにゲートウェイ８０及びゲートキーパ８２、８４の種々の構成での少なくとも１つのＩＰベースの電話（例えば、装置８８、９０）の種々の組合せを接続する類似の方法で作動することがわかる。
【００３８】
［マルチライン電話通信システムのオペレーション］
図３と一緒に図４を参照すると、Ａと表示された第１電話装置７６がＳＥＴＵＰ信号をステップ１０１で図４でＳＷと表示されたＬＥＣスイッチ７８に送出し、次にＬＥＣスイッチ７８がＳＥＴＵＰ信号をゲートウェイ８０へルーティングする。ＳＥＴＵＰ信号は第１電話装置７６が生成し、呼び出された電話装置８８への接続を確立する。ＳＥＴＵＰ信号に応答して、ゲートウェイ８０は許可要求（ＡＲＱ）信号を生成し、ＡＲＱ信号はステップ１０３で第１ゲートキーパ８２へ送信される。
【００３９】
応答で、第１ゲートキーパ８２はロケーション要求（ＬＡＯ）信号を生成し、ステップ１０４で第２ゲートキーパ８４へ送信して電話装置７６を呼び出すためのアドレスを決定する。そのようなＬＲＱ信号はマルチライン電話通信システム１０の利用可能なゲートキーパへ一斉送信され、適切なゲートキーパ（例えば、呼び出された電話装置８８（Ｂｉｐ1）に比較的近い）を確認する。
【００４０】
Ｂｉｐ1が第２ゲートキーパ８４による接続のために利用可能であることを決定するとすぐ、第２ゲートキーパ８４はロケーション確認（ＬＣＦ）信号を発生し、ＬＣＦ信号はステップ１０５で第１ゲートキーパ８２へ送信される。また、ＬＣＦ信号は、第２ゲートキーパ８２のアドレスを呼び出しのルーティングで使用するために含む。
【００４１】
ＬＣＦ信号に応答して、第１ゲートキーパ８２は、ステップ１０６でゲートウェイ８０に送信される許可確認（ＡＣＦ）信号を発生し、次に、ゲートウェイ８０はＳＥＴＵＰ信号をＣＣＳＥ８６へステップ１０７で送信し、電話装置７６、８８の間の初期接続手順を制御する。
【００４２】
次に、ＣＣＳＥ８６がCALLPROCEEDING状態信号を発生し、CALLPROCEEDING状態信号はゲートウェイ８０へステップ１０８で送信され、呼び出し接続が最初に確立したことを表示する。また、ＣＣＳＥ８６はＡＲＱ信号を第２ゲートキーパ８４へステップ１０９で送信し、電話装置７６、８８を接続する許可を要求する。次に、第２ゲートキーパ８４が接続が成されたかどうかを決定し、もし成されていたら、ＣＣＳＥ８６へステップ１１０で送信されるＡＣＦ信号を発生する。
【００４３】
第２ゲートキーパ８４からのＡＣＦ信号に応答して、ＣＣＳＥ８６はＳＥＴＵＰ信号を第２電話装置８８へステップ１１３で送信し、次に、第２電話装置８８はCALLPROCEEDING（ＣａｌＩＰｒ）信号をステップ１１４でＣＣＳＥ８６へ送信し、呼び出し接続が確立したことを表示する。図示するために、第２電話装置８８はＩＰベースの電話である。
【００４４】
加えて、第２電話装置８８はＡＲＱ信号を発生して第２ゲートキーパ８４へステップ１１５で送信し、第１電話装置７６との通話を確立する許可を得る。ＡＣＦ信号を第２ゲートキーパ８４からステップ１１６で受信した後、次に第２電話装置８８がＡＬＥＲＴ信号を発生して、呼び出し接続が第２電話装置８８と確立したことを表示し、及びＣＯＮＮＥＣＴ信号を発生して、第２電話装置８８への呼び出し接続を最終的に確立する。次に、ステップ１１７〜１２０で、ＡＬＥＲＴ信号がＣＣＳＥ８６、ゲートウェイ８０、及びＬＥＣスイッチ７８により第１電話装置７６へ各々送信される。第１電話装置７６は、適切な接続プロトコルを接続呼び出しのために初期化することによってＡＬＥＲＴ信号に応答する。
【００４５】
次に、ＣＯＮＮＥＣＴ信号は、ＣＣＳＥ８６、ゲートウェイ８０、及びＬＥＣスイッチ７８により第１電話装置７６へステップ１２１〜１２４で各々送信される。第１電話装置７６は、接続呼び出しのための適切な接続プロトコルを実行することによりＣＯＮＮＥＣＴ信号に応答し、そうであれば、電話装置７６、８８の間の呼び出し接続が確立する。
【００４６】
独立して、第３電話装置９０（ＩＰベースの電話装置として図示される）は、第２電話装置８８との呼び出し接続を、第２ゲートキーパ８４へステップ１２５で送信されるＡＲＱ信号を発生することにより初期化する。或いは、ＡＲＱ信号は、ゲートキーパ８４の全てに一斉送信される。応答では、第２ゲートキーパ８４は、自分を第２電話装置８８と接続を確立するために適切なゲートキーパと決定した後、ＡＣＦ信号を第３電話装置９０へステップ１２６で送信する。また、ＡＣＦ信号は、呼び出しを第２電話装置８８へ正しくルーティングするように第３電話装置９０を補助するアドレスを含んでもよい。
【００４７】
次に、第３電話装置９０はＳＥＴＵＰ信号をＣＣＳＥ８６へステップ１２７で送信し、ＣＣＳＥ８６に第２電話装置９０への初期接続を行うことを要求する。応答では、ＣＣＳＥ８６がCALLPROCEEDING信号を第３電話装置９０へステップ１２８で送信し、接続が確立したことを表示する。
【００４８】
ステップ１２８と並行して又は同時に、ＣＣＳＥ８６がＡＲＱ信号を第２ゲートキーパ８４へステップ１２９で送信し、接続の許可及び確立を要求する。次に、第２ゲートキーパ８４がＡＣＦ信号をＣＣＳＥ８６へステップ１３０で送信し、第２電話装置８４への接続が確立したことを確認する。
【００４９】
次に、ＣＣＳＥ８６がＳＥＴＵＰ信号を第２電話装置８８へステップ１３１で送信し、接続の確立を制御する。第２電話装置８８は、CALLPROCEEDING（ＣａｌｌＰｒ）信号をＣＣＳＥ８６へステップ１３２で送信して接続が確立したことを表示することにより、ＳＥＴＵＰ信号に応答する。並行して又は同時に、第２電話装置８８はＡＲＱ信号を第２ゲートキーパ８４へステップ１３３で送信し、電話装置８８、９０の間の接続の許可を要求する。第２ゲートキーパ８４はＡＣＦ信号をステップ１３４で第２電話装置８８へ送信し、接続が確立したことを確認する。
【００５０】
ＡＣＦ信号を第２ゲートキーパ８４からステップ１３４で受信した後、次に第２電話装置８８はＡＬＥＲＴ信号を発生して第３電話装置９０との呼び出し接続が確立したことを表示し、及びＣＯＮＮＥＣＴ信号を発生して第３電話装置９０への呼び出し接続を最終的に確立する。次に、ＡＬＥＲＴ信号が、ＣＣＳＥ８６により第３電話装置９０へステップ１３５１３６で各々送信される。第３電話装置９０はＡＬＥＲＴ信号に応答して、接続呼び出しのための適切な接続プロトコル（例えば、Ｈ．３２３ベースのＩＰ電話通信プロトコル）を初期化する。
【００５１】
次に、ＣＯＮＮＥＣＴ信号は、ＣＣＳＥ８６により第３電話装置９０へステップ１３７〜１３８で各々送信される。第３電話装置９０は、接続呼び出しのための適切な接続プロトコル（例えば、Ｈ．３２３ベースのＩＰ電話通信プロトコル）を実行することによりＣＯＮＮＥＣＴ信号に応答し、電話装置８８、９０の間の呼び出し接続が確立される。次に、ゲートキーパはＣＣＳＥにより制御され、音声データパケットをＢｉｐ1に適切な手順によって多重化する。
【００５２】
上記のように、ステップ１０１〜１２４はステップ１２５〜１３８と独立に行われ、ステップ１０１〜１２４は従来の電話装置７６をＩＰベースの電話装置８８に接続するために行われ、ステップ１２５〜１３８は２つのＩＰベースの電話装置（例えば、装置８８、９０）を接続するために行われる。
【００５３】
従って、複数の端末終点２０、２２は、ツイストペア線を経由して最終的にゲートキーパ１６及び他のネットワーク素子に接続される。例えば、３０〜４０の呼び出し出現を処理でき、端末終点は３０〜４０の呼び出し出現の内の２つ又はそれ以上の活動状態の呼び出しを管理する。
【００５４】
本発明のマルチライン電話通信システム１０及び方法が好ましい実施例を参照して図示され記載されてきたが、種々の変更が本発明の範囲及び精神を逸脱することなく可能なことは理解できる。例えば、他の通信機構をマルチライン電話通信システム１０（例えば、ＩＳＤＮ及びＴ１接続、及びディジタル加入者線路（ＤＳＬ）技術）に取り入れることが出来る。対応するモデム、通信インターフェース、及びプロトコルが、ＰＯＰ３０、３２、３４、及びＣＯ１６のインターフェース４２にサポートされる。
【００５５】
従って、ここで提案された実施例のような（限定されない）変更が、本発明の範囲内で考えられる。
【図面の簡単な説明】
【図１】  本発明によるマルチライン電話通信システムの全体図である。
【図２Ａ】  図１のマルチライン電話通信システムの詳細図である。
【図２Ｂ】  図１のマルチライン電話通信システムの詳細図である。
【図３】  図１〜図２のマルチライン電話通信システムの状態線図である。
【図４】  図１〜図２のマルチライン電話通信システムのオペレーションの系統線図である。
【符号の説明】
１０    マルチライン電話システム
１２    ゲートウェイ
１３    接続
１６    ゲートキーパ
１８    データベース
２０、２２    端末終点
２３    ツイストペア接続
２４    電話装置
３６、３８、４０    ルータ
４２    インターフェース
４３    モデムバンク
４４    モデム
４６    ルータ／ハブ装置
５６    サーバ
５８    ゲートキーパサーバ
６０    媒体モジュールサーバ
６２    ディレクトリサーバ
６４    サービス端末サーバ
６６    メッセージ単一化サーバ
６８    クライアントサービスサーバ
７０    データベースサーバ
７２    ディレクトリサーバ
７４    アドレステーブル
７６、８８、９０    電話装置
７８    スイッチ
８０    ゲートウェイ
８２、８４    ゲートキーパ
８８、９０    電話装置
【図１】
0004659215.tif 000002
【図２Ａ】
0004659215.tif 000003
【図２Ｂ】
0004659215.tif 000004
【図３】
0004659215.tif 000005
【図４】
0004659215.tif 000006